(57)【要約】【課題】固定電話を呼び出さなくても容易に連絡を取ることができ、連絡を取る際の利便性を向上させること。【解決手段】近距離無線通信部１０１は、サーバー２００と接続して近距離無線通信を行う。番号保持部１０２は、他の通信端末装置と共通のグループ代表番号を記憶する。報知部１０４は、番号保持部１０２に記憶するグループ代表番号に着信した場合に、着信を報知する。グループ代表番号着信制御部１０５は、近距離無線通信部１０１におけるサーバー２００との接続を検出した場合に、グループ代表番号に対する着信をサーバー２００に報知させる。【選択図】図１
2011250280.tif 000002
【特許請求の範囲】
【請求項１】
通信相手と接続して近距離無線通信を行う近距離無線通信手段と、
他の通信端末装置と共通の代表番号を記憶する番号保持手段と、
前記番号保持手段に記憶する前記代表番号に着信した場合に前記着信を報知する報知手段と、
前記接続を検出した場合に前記着信を前記通信相手に報知させる着信制御手段と、
を具備する通信端末装置。
【請求項２】
前記着信制御手段は、前記接続を検出しない場合に、前記報知手段における前記着信の報知を開始するタイミングを所定時間遅らせる請求項１記載の通信端末装置。
【請求項３】
発信者番号を記憶する電話帳をさらに具備し、
前記報知手段は、前記電話帳に記憶する前記発信者番号の発信者からの前記着信である場合に前記着信を報知し、
前記着信制御手段は、前記電話帳に記憶している前記発信者番号の発信者からの前記着信である場合において、前記接続を検出した場合に前記着信を前記通信相手に報知させる請求項１記載の通信端末装置。
【請求項４】
通信相手と接続して近距離無線通信を行う近距離無線通信手段と、
自局の番号を記憶する番号保持手段と、
前記番号保持手段に記憶する前記自局の番号に着信した場合に前記着信を報知する報知手段と、
前記接続を検出した場合に前記着信を前記通信相手に報知させる着信制御手段と、
を具備する通信端末装置。
【請求項５】
動きを検出する動き検出手段をさらに具備し、
前記着信制御手段は、前記接続を検出した場合に加えて、前記動きを検出しない場合に前記通信相手に前記着信を報知させる請求項４記載の通信端末装置。
【請求項６】
共通の代表番号を記憶する複数の通信相手と近距離無線通信を行う近距離無線通信手段と、
前記通信相手における前記代表番号への着信の報知を前記通信相手から要請された場合に、前記着信の報知を行う報知手段と、
を具備するサーバー。
【請求項７】
前記報知手段は、複数の前記着信の前記要請を受けた場合に、着信元の情報と着信先の前記通信相手の情報とを交互に報知する請求項６記載のサーバー。
【請求項８】
通話を行う通話手段をさらに具備し、
前記報知手段は、前記通話手段における通話中に前記要請を受けた場合に、前記通話手段における通話の音声に重畳して前記報知を行う請求項６記載のサーバー。
【請求項９】
通信端末装置と、前記通信端末装置と近距離無線通信を行うサーバーとを具備する着信制御システムであって、
前記通信端末装置は、
前記サーバーと接続して近距離無線通信を行う第１の近距離無線通信手段と、
記憶手段に記憶する他の通信端末装置と共通の代表番号に着信した場合に前記着信を報知する報知手段と、
前記接続を検出した場合に前記着信の報知を前記サーバーに要請する着信制御手段と、
を具備し、
前記サーバーは、
前記通信端末装置と近距離無線通信を行う第２の近距離無線通信手段と、
前記通信端末装置から前記要請を受けた場合に、前記着信の報知を行う報知手段と、
を具備する着信制御システム。
【請求項１０】
通信端末装置と、前記通信端末装置と近距離無線通信を行うサーバーとを具備する着信制御システムであって、
前記通信端末装置は、
前記サーバーと接続して近距離無線通信を行う第１の近距離無線通信手段と、
記憶手段に記憶する自局の番号に着信した場合に前記着信を報知する報知手段と、
前記接続を検出した場合に前記着信の報知を前記サーバーに要請する着信制御手段と、
を具備し、
前記サーバーは、
前記通信端末装置と近距離無線通信を行う第２の近距離無線通信手段と、
前記通信端末装置から前記要請を受けた場合に、前記着信の報知を行う報知手段と、
を具備する着信制御システム。
【請求項１１】
通信相手との間で近距離無線通信を行う通信端末装置における着信制御方法であって、
前記通信相手と接続して近距離無線通信を行うステップと、
記憶手段に記憶する他の通信端末装置と共通の代表番号に着信した場合に前記着信を報知するステップと、
前記接続を検出した場合に前記着信を前記通信相手に報知させるステップと、
を具備する着信制御方法。
【請求項１２】
通信相手との間で近距離無線通信を行う通信端末装置における着信制御方法であって、
前記通信相手と接続して近距離無線通信を行うステップ、
記憶手段に記憶する自局の番号に着信した場合に前記着信を報知するステップと、
前記接続を検出した場合に前記着信を前記通信相手に報知させるステップと、
を具備する着信制御方法。
【発明の詳細な説明】
【技術分野】
【０００１】
本発明は、例えば家族間で連絡を取り合う通信端末装置、サーバー、着信制御システム及び着信制御方法に関する。
【背景技術】
【０００２】
一般に、携帯電話と固定電話との通話料は、携帯電話同士の通話料に比べて割高であるため、家族間で連絡を取る場合には、最初に携帯電話を呼び出し、呼び出した携帯電話からの応答が無い場合に、固定電話を呼び出すことが多いと考えられる。
【０００３】
例えば、発信者である夫は、妻の携帯電話を呼び出しても応答が無い場合に、次に子供の携帯電話を呼び出すことが考えられる。また、発信者である夫は、家族の何れの携帯電話を呼び出しても応答が無い場合には、携帯電話に対する着信に気が付いていないだけで、家族の少なくとも１人は自宅に居る可能性が高いと考え、最終的に自宅の固定電話を呼び出すことが考えられる。従って、例えば４人家族の場合には、携帯電話を３回呼び出すとともに、固定電話を１回呼び出すことにより、合計４回の呼び出しを行う必要がある。
【０００４】
また、家族間に限らず、ＳＯＨＯ等の小規模な組織において連絡を取り合う場合にも、上記と同様の状況が考えられる。
【０００５】
しかしながら、上記の場合には、発信者は、着信先からの応答があるまで携帯電話及び固定電話を順次呼び出す必要があり、連絡を取る際に煩わしいという課題がある。
【０００６】
上記の煩わしさを解消する方法として、複数の携帯端末をグループ化して共通の特定固定電話番号を付与し、外部電話端末から特定固定電話番号に対する呼び出しがあった場合に、グループ内の携帯端末を呼び出すサービスが知られている（例えば、特許文献１）。
【先行技術文献】
【特許文献】
【０００７】
【特許文献１】特開２００４−３３６４５４号公報
【発明の概要】
【発明が解決しようとする課題】
【０００８】
しかしながら、特許文献１においては、携帯端末に対する着信に気が付かない場合には、最終的には固定電話を呼び出す必要があり、連絡を取る際に不便であるという問題がある。また、最近は、固定電話を保有しない場合もあり、この場合には、携帯端末に対する着信に気が付かなければ、家族の少なくとも１人が自宅に居ても連絡を取ることができないという問題がある。
【０００９】
本発明の目的は、固定電話を呼び出さなくても容易に連絡を取ることができ、連絡を取る際の利便性を向上させることができる通信端末装置、サーバー、着信制御システム及び着信制御方法を提供することである。
【課題を解決するための手段】
【００１０】
本発明の通信端末装置は、通信相手と接続して近距離無線通信を行う近距離無線通信手段と、他の通信端末装置と共通の代表番号を記憶する番号保持手段と、前記番号保持手段に記憶する前記代表番号に着信した場合に前記着信を報知する報知手段と、前記接続を検出した場合に前記着信を前記通信相手に報知させる着信制御手段と、を具備する構成を採る。
【００１１】
また、本発明の通信端末装置は、通信相手と接続して近距離無線通信を行う近距離無線通信手段と、自局の番号を記憶する番号保持手段と、前記番号保持手段に記憶する前記自局の番号に着信した場合に前記着信を報知する報知手段と、前記接続を検出した場合に前記着信を前記通信相手に報知させる着信制御手段と、を具備する構成を採る。
【００１２】
本発明のサーバーは、共通の代表番号を記憶する複数の通信相手と近距離無線通信を行う近距離無線通信手段と、前記通信相手における前記代表番号への着信の報知を前記通信相手から要請された場合に、前記着信の報知を行う報知手段と、を具備する構成を採る。
【００１３】
本発明の着信制御システムは、通信端末装置と、前記通信端末装置と近距離無線通信を行うサーバーとを具備する着信制御システムであって、前記通信端末装置は、前記サーバーと接続して近距離無線通信を行う第１の近距離無線通信手段と、記憶手段に記憶する他の通信端末装置と共通の代表番号に着信した場合に前記着信を報知する報知手段と、前記接続を検出した場合に前記着信の報知を前記サーバーに要請する着信制御手段と、を具備し、前記サーバーは、前記通信端末装置と近距離無線通信を行う第２の近距離無線通信手段と、前記通信端末装置から前記要請を受けた場合に、前記着信の報知を行う報知手段と、を具備する構成を採る。
【００１４】
また、本発明の着信制御システムは、通信端末装置と、前記通信端末装置と近距離無線通信を行うサーバーとを具備する着信制御システムであって、前記通信端末装置は、前記サーバーと接続して近距離無線通信を行う第１の近距離無線通信手段と、記憶手段に記憶する自局の番号に着信した場合に前記着信を報知する報知手段と、前記接続を検出した場合に前記着信の報知を前記サーバーに要請する着信制御手段と、を具備し、前記サーバーは、前記通信端末装置と近距離無線通信を行う第２の近距離無線通信手段と、前記通信端末装置から前記要請を受けた場合に、前記着信の報知を行う報知手段と、を具備する構成を採る。
【００１５】
本発明の着信制御方法は、通信相手との間で近距離無線通信を行う通信端末装置における着信制御方法であって、前記通信相手と接続して近距離無線通信を行うステップと、記憶手段に記憶する他の通信端末装置と共通の代表番号に着信した場合に前記着信を報知するステップと、前記接続を検出した場合に前記着信を前記通信相手に報知させるステップと、を具備するようにした。
【００１６】
また、本発明の着信制御方法は、通信相手との間で近距離無線通信を行う通信端末装置における着信制御方法であって、前記通信相手と接続して近距離無線通信を行うステップ、記憶手段に記憶する自局の番号に着信した場合に前記着信を報知するステップと、前記接続を検出した場合に前記着信を前記通信相手に報知させるステップと、を具備するようにした。
【発明の効果】
【００１７】
本発明によれば、固定電話を呼び出さなくても容易に連絡を取ることができ、連絡を取る際の利便性を向上させることができる。
【図面の簡単な説明】
【００１８】
【図１】本発明の実施の形態１に係る通信端末装置の構成を示すブロック図
【図２】本発明の実施の形態１に係るサーバーの構成を示すブロック図
【図３】本発明の実施の形態１に係る通信端末装置及びサーバーの動作を示すシーケンス図
【図４】本発明の実施の形態２に係る通信端末装置の構成を示すブロック図
【図５】本発明の実施の形態２に係る通信端末装置及びサーバーの動作を示すシーケンス図
【図６】本発明の実施の形態３に係る通信端末装置の構成を示すブロック図
【図７】本発明の実施の形態４に係るサーバーの構成を示すブロック図
【発明を実施するための形態】
【００１９】
以下、本発明の実施の形態について、図面を参照して詳細に説明する。
【００２０】
（実施の形態１）
図１は、本発明の実施の形態１に係る通信端末装置１００の構成を示すブロック図である。
【００２１】
通信端末装置１００は、近距離無線通信部１０１と、番号保持部１０２と、自局着信制御部１０３と、報知部１０４と、グループ代表番号着信制御部１０５と、サーバー制御部１０６とから主に構成される。また、呼制御部１５０は、自局着信制御部１０３と、報知部１０４と、グループ代表番号着信制御部１０５と、サーバー制御部１０６とを含む。以下に、各構成について詳細に説明する。
【００２２】
近距離無線通信部１０１は、後述するサーバー２００と接続し、接続したサーバー２００と近距離無線通信を行う。近距離無線通信部１０１は、例えばＷＬＡＮ（Wireless Local Area Network）またはブルートゥース（Bluetooth）（登録商標）によりサーバー２００と近距離無線通信を行う。また、近距離無線通信部１０１は、後述するサーバー制御部１０６より入力した、着信を報知することを要請する制御信号をサーバー２００へ近距離無線通信により送信する。
【００２３】
番号保持部１０２は、グループ化した複数の通信端末装置に付与する共通の電話番号であるグループ代表番号を予め記憶する。また、番号保持部１０２は、通信端末装置１００の自局の電話番号を予め記憶する。グループ代表番号は、例えば、家族で使用する複数の通信端末装置、またはＳＯＨＯ等の小規模の組織において使用する複数の通信端末装置に付与される。
【００２４】
自局着信制御部１０３は、他の通信端末装置または固定電話からの着信があった際に、番号保持部１０２に記憶している自局の電話番号を参照し、自局の電話番号に対する着信である場合に着信制御を行う。具体的には、自局着信制御部１０３は、自局の電話番号に対する着信である場合に、報知部１０４において着信を報知させる制御を行う。また、自局着信制御部１０３は、自局の電話番号に対する着信である場合に、近距離無線通信部１０１におけるサーバー２００との接続の有無を検出する。また、自局着信制御部１０３は、サーバー２００との接続を検出した場合には、サーバー２００において着信を報知することをサーバー制御部１０６に要請する。
【００２５】
即ち、自局着信制御部１０３は、サーバー２００と接続されている場合には、屋内に有るものと判定する。この場合、自局着信制御部１０３は、報知部１０４に着信を報知させるとともに、サーバー２００において着信を報知することをサーバー制御部１０６に要請する。
【００２６】
報知部１０４は、自局着信制御部１０３またはグループ代表番号着信制御部１０５の制御に従って呼び出し音を鳴らすことにより着信を報知する。
【００２７】
グループ代表番号着信制御部１０５は、他の通信端末装置または固定電話からの着信があった際に、番号保持部１０２に記憶しているグループ代表番号を参照し、番号保持部１０２に記憶しているグループ代表番号に対する着信である場合に着信制御を行う。具体的には、グループ代表番号着信制御部１０５は、番号保持部１０２に記憶しているグループ代表番号に対する着信である場合に、報知部１０４において着信を報知させる制御を行う。また、グループ代表番号着信制御部１０５は、番号保持部１０２に記憶しているグループ代表番号に対する着信である場合に、近距離無線通信部１０１におけるサーバー２００との接続の有無を検出する。また、グループ代表番号着信制御部１０５は、サーバー２００との接続を検出した場合には、サーバー２００において着信を報知することをサーバー制御部１０６に要請する。
【００２８】
即ち、グループ代表番号着信制御部１０５は、サーバー２００と接続している場合には、屋内に有るものと判定する。この場合、グループ代表番号着信制御部１０５は、報知部１０４に着信を報知させるとともに、サーバー２００において着信を報知することをサーバー制御部１０６に要請する。
【００２９】
また、グループ代表番号着信制御部１０５は、サーバー２００と接続していない場合には、屋外に有るものと判定する。この場合、グループ代表番号着信制御部１０５は、報知部１０４に着信を即時に報知させるモードと、報知部１０４に着信を報知させないモードと、報知部１０４における着信の報知開始のタイミングを所定時間遅らせるモードとの何れかのモードを選択する。また、この場合、グループ代表番号着信制御部１０５は、サーバー２００と接続していないので、サーバー２００に着信を報知させることはできない。
【００３０】
サーバー制御部１０６は、自局着信制御部１０３またはグループ代表番号着信制御部１０５の要請に応じて、着信の報知を要請する制御信号を近距離無線通信部１０１へ出力する。
【００３１】
以上で、通信端末装置１００の構成の説明を終える。
【００３２】
次に、サーバー２００の構成について、図２を用いて説明する。図２は、サーバー２００の構成を示すブロック図である。
【００３３】
サーバー２００は、近距離無線通信部２０１と、着信制御部２０２と、報知部２０３とから主に構成される。以下に、各構成について詳細に説明する。
【００３４】
近距離無線通信部２０１は、通信端末装置１００と接続し、接続した通信端末装置１００と近距離無線通信を行う。近距離無線通信部２０１は、例えばＷＬＡＮまたはブルートゥースにより通信端末装置１００と近距離無線通信を行う。また、近距離無線通信部２０１は、着信を報知することを要請する制御信号を通信端末装置１００から受信する。また、近距離無線通信部２０１は、受信した制御信号を着信制御部２０２へ出力する。
【００３５】
着信制御部２０２は、近距離無線通信部２０１から入力した制御信号に基づいて、通信端末装置１００において着信があったことを報知部２０３より報知させる制御を行う。また、着信制御部２０２は、近距離無線通信部２０１から入力した制御信号が複数の発信者からの着信を示す場合には、各発信者の情報及び着信先である通信端末装置１００の情報を順次報知するように報知部２０３を制御する。この際、サーバー２００は、各発信者及び着信先である通信端末装置１００の情報を付加した制御信号を通信端末装置１００から受信することにより、上記の制御を行うことができる。
【００３６】
報知部２０３は、着信制御部２０２の制御に従って呼び出し音を鳴らすことにより着信を報知する。また、報知部２０３は、着信制御部２０２の制御に従って、各発信者の情報及び着信先である通信端末装置１００の情報を順次音声により報知する。
【００３７】
以上で、サーバー２００の構成の説明を終える。
【００３８】
次に、通信端末装置１００及びサーバー２００の動作について、図３を用いて説明する。図３は、通信端末装置１００及びサーバー２００の動作を示すシーケンス図である。図３において、通信端末装置１００−１は屋内に有り、通信端末装置１００−２は屋外に有るものとする。なお、図３において、通信端末装置１００−１及び通信端末装置１００−２は、図１の通信端末装置１００と同一構成を有する。
【００３９】
本実施の形態における着信制御システムは、図３に示すように、移動網システム３００と、通信端末装置１００−１、１００−２と、サーバー２００とから主に構成される。
【００４０】
最初に、通信端末装置１００が屋内に有る場合の通信端末装置１００及びサーバー２００の動作について説明する。
【００４１】
通信端末装置１００−１は、屋内に有ることより、近距離無線通信部１０１において、サーバー２００の近距離無線通信部２０１と接続し、接続した近距離無線通信部２０１と近距離近距離無線通信を行う（ステップＳＴ３０１）。
【００４２】
また、移動網システム３００は、通信端末装置１００−１に対する着信の要求を受け（ステップＳＴ３０２）、受けた着信の要求を通信端末装置１００−１へ送信する（ステップＳＴ３０３）。
【００４３】
次に、通信端末装置１００−１は、自局着信制御部１０３において着信を検出した際に（ステップＳＴ３０３）、自局着信制御部１０３において自局の番号に対して着信したものと判定するとともに報知部１０４に着信を報知させる（ステップＳＴ３０４）。
【００４４】
次に、通信端末装置１００−１は、自局着信制御部１０３において、近距離無線通信部１０１におけるサーバー２００の近距離無線通信部２０１との接続の有無を検出し、屋内であるか否かを判定する（ステップＳＴ３０５）。
【００４５】
次に、通信端末装置１００−１は、自局着信制御部１０３において屋内と判定し（ステップＳＴ３０６：屋内）、自局着信制御部１０３は、サーバー制御部１０６に対して、サーバー２００に着信を報知させることを要請する（ステップＳＴ３０７）。
【００４６】
次に、サーバー制御部１０６は、サーバー２００に着信を報知させることを要請する制御信号を生成し、生成した制御信号を、近距離無線通信部１０１を介して（ステップＳＴ３０８）、サーバー２００に近距離無線通信により送信する（ステップＳＴ３０９）。
【００４７】
次に、サーバー２００は、近距離無線通信部２０１において制御信号を受信し（ステップＳＴ３０９）、着信制御部２０２において着信を報知する（ステップＳＴ３１０）。
【００４８】
なお、通信端末装置１００−１は、自局着信制御部１０３において屋外と判定した場合には（ステップＳＴ３０６：屋外）、サーバー制御部１０６においてサーバー２００に着信を報知させることを要請する制御信号を生成しない。
【００４９】
以上で、通信端末装置１００が屋内に有る場合の通信端末装置１００及びサーバー２００の動作の説明を終える。
【００５０】
次に、複数の通信端末装置１００及びサーバー２００の動作について、図３を用いて説明する。図３において、通信端末装置１００−１と通信端末装置１００−２とは共通のグループ代表番号を記憶するとともに、通信端末装置１００−１は屋内に有り、通信端末装置１００−２は屋外に有るものとする。
【００５１】
通信端末装置１００−１は、屋内に有ることより、近距離無線通信部１０１において、サーバー２００の近距離無線通信部２０１と接続し、接続した近距離無線通信部２０１と近距離無線通信を行う（ステップＳＴ５５１）。
【００５２】
また、移動網システム３００は、グループ代表番号に対する着信の要求を受け（ステップＳＴ５５２）、受けた着信の要求を通信端末装置１００−１へ送信するとともに（ステップＳＴ５５３）、通信端末装置１００−２へ送信する（ステップＳＴ５５４）。
【００５３】
次に、通信端末装置１００−１は、グループ代表番号着信制御部１０５において着信を検出した際に（ステップＳＴ５５３）、グループ代表番号着信制御部１０５において、近距離無線通信部１０１におけるサーバー２００の近距離無線通信部２０１との接続の有無を検出し、屋内であるか否かを判定する（ステップＳＴ５５５）。
【００５４】
また、通信端末装置１００−２は、グループ代表番号着信制御部１０５において着信を検出した際に（ステップＳＴ５５４）、グループ代表番号着信制御部１０５において、グループ代表番号に対して着信があったものと判定する。また、通信端末装置１００−２は、グループ代表番号着信制御部１０５において、近距離無線通信部１０１におけるサーバー２００の近距離無線通信部２０１との接続の有無を検出し、屋内であるか否かを判定する（ステップＳＴ５５６）。この場合には、グループ代表番号着信制御部１０５は、サーバー２００との接続を検出しないことにより屋外であるものと判定する。
【００５５】
次に、通信端末装置１００−１は、グループ代表番号着信制御部１０５において屋内であると判定し（ステップＳＴ５５７：屋内）、報知部１０４において着信を報知させる制御を行う（ステップＳＴ５５８）。
【００５６】
次に、グループ代表番号着信制御部１０５はサーバー制御部１０６に着信を報知させることを要請する（ステップＳＴ５５９）。
【００５７】
次に、サーバー制御部１０６は、サーバー２００に着信を報知させることを要請する制御信号を生成し、生成した制御信号を、近距離無線通信部１０１を介して（ステップＳＴ５６０）、サーバー２００に近距離無線通信により送信する（ステップＳＴ５６１）。
【００５８】
次に、サーバー２００は、近距離無線通信部２０１において制御信号を受信し（ステップＳＴ５６１）、着信制御部２０２において着信を報知する（ステップＳＴ５６２）。
【００５９】
一方、通信端末装置１００−２は、グループ代表番号着信制御部１０５において、屋外であると判定するとともに（ステップＳＴ５６３：屋外）、報知部１０４において所定の条件で着信を報知させる制御を行う（ステップＳＴ５６４）。ここで、所定の条件とは、報知部１０４に着信を即時に報知させるモードと、報知部１０４に着信を報知させないモードと、報知部１０４における着信の報知開始のタイミングを所定時間遅らせるモードとの何れかのモードを選択することを意味する。
【００６０】
このように、本実施の形態によれば、固定電話を呼び出さなくても容易に連絡を取ることができ、連絡を取る際の利便性を向上させることができる。また、本実施の形態によれば、固定電話を有さない場合において、確実に連絡を取ることができる。また、本実施の形態によれば、グループ代表番号に対して着信する場合には、複数の通信端末装置を順次呼び出す煩わしさを解消することができる。また、本実施の形態によれば、グループ代表番号に対して着信する場合には、屋外に有る通信端末装置の着信の報知を開始するタイミングを所定時間遅らせる場合には、電話に出やすい通信端末装置から順次呼び出しできるので、電話に出にくい屋外等に有る通信端末装置における報知の頻度を減らすことができる。
【００６１】
（実施の形態２）
図４は、本発明の実施の形態２に係る通信端末装置４００の構成を示すブロック図である。
【００６２】
図４に示す通信端末装置４００は、図１に示す実施の形態１に係る通信端末装置１００に対して、モーションセンサー４０１を追加し、自局着信制御部１０３の代わりに自局着信制御部４０２を有する。なお、図４において、図１と同一構成である部分には同一の符号を付してその説明を省略する。また、本実施の形態において、サーバーは図２と同一構成であるので、その説明を省略する。
【００６３】
通信端末装置４００は、近距離無線通信部１０１と、番号保持部１０２と、報知部１０４と、グループ代表番号着信制御部１０５と、サーバー制御部１０６と、モーションセンサー４０１と、自局着信制御部４０２とから主に構成される。また、呼制御部４５０は、報知部１０４と、グループ代表番号着信制御部１０５と、サーバー制御部１０６と、自局着信制御部４０２とを含む。以下に、本実施の形態における上記の実施の形態１と異なる各構成について、詳細に説明する。
【００６４】
モーションセンサー４０１は、通信端末装置４００の動きを検出する。モーションセンサー４０１は、例えば加速度センサーである。
【００６５】
自局着信制御部４０２は、他の通信端末装置または固定電話から着信があった際に、番号保持部１０２に記憶している自局の電話番号を参照し、自局の電話番号に対する着信である場合に着信制御を行う。具体的には、自局着信制御部４０２は、自局の電話番号に対する着信があった場合に、報知部１０４に着信を報知させる制御を行う。また、自局着信制御部４０２は、自局の電話番号に対する着信である場合に、近距離無線通信部１０１におけるサーバー２００との接続の有無を検出するとともに、モーションセンサー４０１における検出結果を取得する。また、自局着信制御部４０２は、サーバー２００と接続している検出結果、及びモーションセンサー４０１の動いていない検出結果を取得した場合に、サーバー２００において着信を報知することをサーバー制御部１０６に要請する。
【００６６】
即ち、自局着信制御部４０２は、サーバー２００と接続されており、かつモーションセンサー４０１により動きを検出しない場合には、屋内において通信端末装置４００を身に着けていないものと推定する。この場合、自局着信制御部４０２は、報知部１０４に着信を報知させるとともに、サーバー２００において着信を報知することをサーバー制御部１０６に要請する。
【００６７】
また、自局着信制御部４０２は、サーバー２００と接続されており、かつモーションセンサー４０１により動きを検出した場合には、屋内において通信端末装置４００を身に着けているものと推定する。この場合、自局着信制御部４０２は、報知部１０４に着信を報知させるとともに、サーバー２００において着信を報知することをサーバー制御部１０６に要請しない。
【００６８】
報知部１０４は、グループ代表番号着信制御部１０５または自局着信制御部４０２の制御に従って呼び出し音を鳴らすことにより着信を報知する。
【００６９】
サーバー制御部１０６は、自局着信制御部４０２またはグループ代表番号着信制御部１０５の要請に応じて、着信の報知を行う制御信号を近距離無線通信部１０１へ出力する。
【００７０】
以上で、通信端末装置４００の構成の説明を終える。
【００７１】
次に、通信端末装置４００及びサーバー２００の動作について、図５を用いて説明する。図５は、通信端末装置４００及びサーバー２００の動作を示すシーケンス図である。図５において、通信端末装置４００は屋内に有るものとする。
【００７２】
本実施の形態における通信システムは、図５に示すように、移動網システム３００と、通信端末装置４００と、サーバー２００とから主に構成される。
【００７３】
通信端末装置４００は、屋内に有ることより、近距離無線通信部１０１において、サーバー２００の近距離無線通信部２０１と接続し、接続した近距離無線通信部２０１と近距離無線通信を行う（ステップＳＴ５０１）。
【００７４】
また、移動網システム３００は、通信端末装置４００に対する着信の要求を受け（ステップＳＴ５０２）、受けた着信の要求を通信端末装置４００へ送信する（ステップＳＴ５０３）。
【００７５】
次に、通信端末装置４００は、自局着信制御部４０２において着信を検出した場合に（ステップＳＴ５０３）、自局着信制御部４０２において自局の番号に着信したものと判定するとともに報知部１０４に着信を報知させる（ステップＳＴ５０４）。
【００７６】
次に、通信端末装置４００は、自局着信制御部４０２において、近距離無線通信部１０１における近距離無線通信部２０１との接続の有無を検出し、屋内であるか否かを判定する（ステップＳＴ５０５）。
【００７７】
次に、通信端末装置４００は、自局着信制御部４０２において動きを検出したか否かを判定する。即ち、通信端末装置４００は、自局着信制御部４０２において通信端末装置４００を身に着けているか否かを判定する（ステップＳＴ５０６）。
【００７８】
次に、通信端末装置４００は、自局着信制御部４０２において屋内かつ身に着けていないと判定した場合に（ステップＳＴ５０７：屋内）、サーバー制御部１０６にサーバー２００に着信を報知させることを要請する（ステップＳＴ５０８）。
【００７９】
次に、サーバー制御部１０６は、サーバー２００に着信を報知させることを要請する制御信号を生成し、生成した制御信号を、近距離無線通信部１０１を介して（ステップＳＴ５０９）、サーバー２００に近距離無線通信により送信する（ステップＳＴ５１０）。
【００８０】
次に、サーバー２００は、近距離無線通信部２０１において制御信号を受信し（ステップＳＴ５１０）、着信制御部２０２において着信を報知する（ステップＳＴ５１１）。
【００８１】
一方、通信端末装置４００は、自局着信制御部４０２において、屋内かつ身に着けていると判定した場合に（ステップＳＴ５０７：屋外）、サーバー制御部１０６においてサーバー２００に着信を報知させることを要請する制御信号を生成しない。なお、通信端末装置４００は、自局着信制御部４０２において、屋外と判定した場合には（ステップＳＴ５０７：屋内）、サーバー制御部１０６においてサーバー２００に着信を報知させることを要請する制御信号を生成しない。
【００８２】
このように、本実施の形態によれば、上記の実施の形態１の効果に加えて、自局着信時に、動きの検出結果を用いて、サーバーでの着信の報知を制御するので、屋内で通信端末装置を身に着けていない場合に、自局着信があったことを確実に認識させることができる。また、本実施の形態によれば、屋内で、通信端末装置を身に着けていない場合に、自局着信があった時には、サーバーでの着信の報知をしないため、屋内に居る他の人に迷惑をかけないようにすることが出来る。
【００８３】
（実施の形態３）
図６は、本発明の実施の形態３に係る通信端末装置６００の構成を示すブロック図である。
【００８４】
図６に示す通信端末装置６００は、図１に示す実施の形態１に係る通信端末装置１００に対して、電話帳６０１を追加し、グループ代表番号着信制御部１０５の代わりにグループ代表番号着信制御部６０２を有する。なお、図６において、図１と同一構成である部分には同一の符号を付してその説明を省略する。また、本実施の形態において、サーバーは図２と同一構成であるので、その説明を省略する。
【００８５】
通信端末装置６００は、近距離無線通信部１０１と、番号保持部１０２と、自局着信制御部１０３と、報知部１０４と、サーバー制御部１０６と、電話帳６０１と、グループ代表番号着信制御部６０２とから主に構成される。また、呼制御部６５０は、自局着信制御部１０３と、報知部１０４と、サーバー制御部１０６と、グループ代表番号着信制御部６０２とを含む。以下に、本実施の形態における上記の実施の形態１と異なる各構成について詳細に説明する。
【００８６】
電話帳６０１は、他の通信端末装置の固有の電話番号または固定電話の固有の電話番号を、適宜更新可能な状態で記憶する。即ち、電話帳６０１は、通信端末装置６００に対する着信元である発信者の電話番号を記憶する。
【００８７】
グループ代表番号着信制御部６０２は、他の通信端末装置または固定電話から着信があった際に、番号保持部１０２に記憶しているグループ代表番号の参照結果、及び電話帳６０１の参照結果に基づいて、着信制御を行う。具体的には、グループ代表番号着信制御部６０２は、番号保持部１０２に記憶しているグループ代表番号に対する着信である場合、かつ電話帳６０１に記憶している電話番号の発信者からの着信である場合に着信制御を行う。一方、グループ代表番号着信制御部６０２は、番号保持部１０２に記憶しているグループ代表番号に対する着信である場合であっても、電話帳６０１に記憶している電話番号の発信者からの着信ではない場合には着信制御を行わない。なお、上記以外のグループ代表番号着信制御部６０２における動作は、上記の実施の形態１におけるグループ代表番号着信制御部１０５における動作と同一であるので、その説明を省略する。
【００８８】
報知部１０４は、自局着信制御部１０３またはグループ代表番号着信制御部６０２の制御に従って呼び出し音を鳴らすことにより着信を報知する。
【００８９】
サーバー制御部１０６は、自局着信制御部１０３またはグループ代表番号着信制御部６０２の要請に応じて、着信の報知を行う制御信号を近距離無線通信部１０１へ出力する。
【００９０】
なお、通信端末装置６００及びサーバー２００の動作については、電話帳６０１を参照する以外は、上記の実施の形態１と同一であるので、その説明を省略する。
【００９１】
このように、本実施の形態によれば、上記の実施の形態１の効果に加えて、電話帳に記憶されている発信者からのグループ代表番号への着信の場合にのみ報知するので、より適切なメンバーにのみ着信を報知することができる。
【００９２】
（実施の形態４）
図７は、本発明の実施の形態４に係るサーバー７００の構成を示すブロック図である。
【００９３】
図７に示すサーバー７００は、図２に示す実施の形態１に係るサーバー２００に対して、通話部７０１を追加する。なお、図７において、図２と同一構成である部分には同一の符号を付してその説明を省略する。また、本実施の形態において、通信端末装置は図１と同一構成であるので、その説明を省略する。
【００９４】
サーバー７００は、近距離無線通信部２０１と、着信制御部２０２と、報知部２０３と、通話部７０１とから主に構成される。以下に、本実施の形態における上記の実施の形態１と異なる構成について詳細に説明する。
【００９５】
通話部７０１は、近距離無線通信部２０１から入力した通話等の音声信号を再生して音声として出力する。また、通話部７０１は、外部から入力した通話等の音声を音声信号に変換して近距離無線通信部２０１へ出力する。
【００９６】
近距離無線通信部２０１は、通信端末装置１００と接続し、接続した通信端末装置１００と近距離無線通信を行う。近距離無線通信部２０１は、例えばＷＬＡＮまたはブルートゥースにより通信端末装置１００と近距離無線通信を行う。また、近距離無線通信部２０１は、着信を報知することを要請する制御信号を通信端末装置１００から受信する。また、近距離無線通信部２０１は、受信した制御信号を着信制御部２０２へ出力する。また、近距離無線通信部２０１は、通信端末装置１００から音声信号を受信した場合には、受信した音声信号を通話部７０１へ出力する。また、近距離無線通信部２０１は、通話部７０１から入力した音声信号を通信端末装置１００へ近距離無線通信により送信する。
【００９７】
報知部２０３は、着信制御部２０２の制御に従って呼び出し音を鳴らすことにより着信を報知する。また、報知部２０３は、通話部７０１において音声が出力されている場合であっても、通話部７０１から出力される音声に重畳して着信の報知を行う。即ち、報知部２０３は、キャッチフォンの機能を有する。また、報知部２０３は、複数の発信者からの着信を報知する場合には、着信制御部２０２の制御に従って、各発信者の情報及び着信先である通信端末装置１００の情報を順次報知する。この際、サーバー２００は、各発信者の情報及び着信先である通信端末装置１００の情報を付加した制御信号を通信端末装置１００から受信することにより、上記の制御を行うことができる。
【００９８】
なお、本実施の形態において、通信端末装置及びサーバーの動作については、通話中に着信の報知の要請を受ける点、及び複数の発信者から着信を受ける点以外は、上記の実施の形態１と同一であるので、その説明を省略する。
【００９９】
このように、本実施の形態によれば、上記の実施の形態１の効果に加えて、キャッチフォンの機能を有するので、通話中であっても着信に気が付くようにすることができる。
【０１００】
なお、本実施の形態において、上記の実施の形態２のモーションセンサーを設けて、動きがあるか否かの検出結果を用いて、着信の報知を制御してもよい。また、本実施の形態において、上記の実施の形態３の電話帳を設けて、電話帳に記憶されている発信者からの着信があった場合にのみ着信を報知してもよい。
【０１０１】
上記の実施の形態１〜実施の形態４において、自局着信制御部とグループ代表番号着信制御部との双方を設けたが、本発明はこれに限らず、自局着信制御部とグループ代表番号着信制御部のいずれか一方のみを設けてもよい。
【産業上の利用可能性】
【０１０２】
本発明にかかる通信端末装置、サーバー、着信制御システム及び着信制御方法は、例えば家族間で連絡を取り合うのに好適である。
【符号の説明】
【０１０３】
１００  通信端末装置
１０１  近距離無線通信部
１０２  番号保持部
１０３  自局着信制御部
１０４  報知部
１０５  グループ代表番号着信制御部
１０６  サーバー制御部
１５０  呼制御部
２００  サーバー
２０１  近距離無線通信部
２０２  着信制御部
２０３  報知部
３００  移動網システム
４００  通信端末装置
４０１  モーションセンサー
４０２  自局着信制御部
４５０  呼制御部
６００  通信端末装置
６０１  電話帳
６０２  グループ代表番号着信制御部
６５０  呼制御部
７００  サーバー
７０１  通話部
【図１】
2011250280.tif 000003
【図２】
2011250280.tif 000004
【図３】
2011250280.tif 000005
【図４】
2011250280.tif 000006
【図５】
2011250280.tif 000007
【図６】
2011250280.tif 000008
【図７】
2011250280.tif 000009